(57)【特許請求の範囲】
【請求項１】
希望する複数のジャンルを設定する設定手段と、
受信可能な放送局をサーチするサーチ手段と、
サーチした前記放送局のうち前記ジャンルに一致する放送局からの放送を受信する受信手段と、を備える受信機において、
記録／表示手段および操作手段をさらに備え、該記録／表示手段は、前記サーチ手段がサーチした、前記希望する複数のジャンルを放送する所定数分の放送局または一巡のサーチで捕捉した放送局、を記録してこれら放送局のうち所望の１つをユーザが選択可能に、一覧表示し、
また前記操作手段は、前記記録／表示手段が前記複数の放送局を記録しているとき、現在受信中の放送局に設定するか、その記録順で、前の候補局に設定するか、次の候補局に設定するか、のいずれかを決定することを特徴とする受信機。
【請求項２】
前記記録／表示手段は前記放送局が複数あるとき、ユーザが随時選択可能に、一局ずつ順次所定時間提示することを特徴とする請求項１に記載の受信機。
【請求項３】
前記設定手段は、前記希望する複数のジャンルに対して予め優先順位を付けて前記の設定を行い、
前記受信手段は、１つのジャンルに一致する前記放送局を選択できないとき、前記優先順位を下げた他のジャンルについて引き続き選択を継続することを特徴とする請求項１に記載の受信機。
【請求項４】
前記サーチ手段は、前記受信手段が前記ジャンルに一致する放送局を選択できないとき、
（ｉ）前記サーチを中止するか、
（ii）前記サーチを繰り返すか、
のいずれか一方を、固定的に設定しあるいは所定のボタンにより設定して、実行することを特徴と請求項１に記載の受信機。
【請求項５】
前記サーチ手段は、前記のサーチの中止を実行する場合、
（ｉ）当該サーチの直前に選択していた放送局を再び選択するか、
（ii）前記希望するジャンルの放送局であると否とを問わず、前記直前の放送局以外の放送局であってかつ当該サーチの開始後最初に受信できた放送局を選択するか、
のいずれか一方を実行することを特徴とする請求項４に記載の受信機。
【請求項６】
２系統の選局回路と、並行設定手段とを備え、
該並行設定手段は、前記受信手段が第１の前記選局回路を介して１つの放送局を受信する第１のモードと、その受信中に前記サーチ手段が第２の前記選局回路を介して他の放送局をサーチする第２のモードとを並行して設定することを特徴とする請求項１に記載の受信機。
【請求項７】
前記並行設定手段は、受信中の前記放送局からの受信ができなくなるか、または、受信可能ではあるが前記希望するジャンルの放送でなくなったときに、前記第１または第２のモードの択一的な自動切替えを行うことを特徴とする請求項６に記載の受信機。
【請求項８】
前記第２の選局回路を介して捕捉した放送局を記録する記録手段と、該記録手段に記録された該放送局を順次呼び出してユーザに提供する呼出手段と、を備えることを特徴とする請求項６に記載の受信機。
【請求項９】
複数のメディア機器の中の１つとしての受信機であって、該受信機以外のメディア機器のいずれかが動作中に、少なくとも前記サーチ手段および前記受信手段を動作させて前記ジャンルの放送局を選択したとき、該動作中のメディア機器を停止させて該受信機側に動作を切り換えるメディア切替手段を備えることを特徴とする請求項１に記載の受信機。
【発明の詳細な説明】
【０００１】
【発明の属する技術分野】
本発明は受信機、特に、プログラムのジャンルを表す配信データが本来の放送に重畳されて放送されるような例えばＲＤＳ（Ｒａｄｉｏ  Ｄａｔａ  Ｓｙｓｔｅｍ）放送等を受信可能なラジオ受信機に関する。
【０００２】
【従来の技術】
上記ＲＤＳ放送等を受信可能なラジオ受信機を所持するユーザは、自己の聞きたいと思う希望のジャンルの放送を選択するとき、上記配信データを手掛りにその希望の番組（その時に放送されている音楽やニュース等）を有する放送局をサーチして本来の放送を得る。
【０００３】
ここに希望のジャンルとは、音楽、ニュース、スポーツ等の区分を意味し、さらに、例えば音楽を特定したときにはそのジャンルはロック、ポップス、ジャズ、演歌等の区分を意味する。また、音楽を特定したときには、歌手別、曲別、国別等をジャンルとしても良い。本発明においてはそのジャンルの意味を上記のいずれに解しても構わないが、以下において必要があるときは、上記のロック、ポップス、ジャズ、演歌等をジャンルの例として説明する。
【０００４】
【発明が解決しようとする課題】
上記のラジオ受信機を所持するユーザ（車載のラジオ受信機であるときはその車の運転者あるいは同乗者）が音楽の放送を希望する場合、そのジャンルとして設定できるのは、例えばロックだけあるいは演歌だけ等、基本的に１つである。
【０００５】
このため、そのジャンルとして例えばロックを設定した場合に、
（ｉ）そのロックを提供する放送局が全くなかったとき、
（ii）ロックの放送を受信していたが、そのロックの番組が終了してしまったとき、
（iii） 車を運転しながらロックの放送を受信していたが、車の移動によって、当該ロックの放送エリアから外れてしまったとき等には、
ユーザは手動によって次に希望するジャンル例えばポップスを提供する放送局を改めて捜し出すという操作が必要となる。
【０００６】
しかしこのような手動による操作は煩わしい上、運転中にあっては安全上好ましくない、という問題がある。
【０００７】
またその手動による操作中は聞きたいロックが即座に聞けない上にその間はノイズのみしか耳に入らないことから、ユーザに不快感を与える、という問題もある。
【０００８】
したがって本発明は上記問題点に鑑み、ユーザが好みのジャンルの番組をいちいち手動で選択するといった手間を省くと共に、希望のジャンルの番組を素早く受信することのできる受信機を提供することを目的とするものである。
【０００９】
【課題を解決するための手段】
図１は本発明に基づくラジオ受信機の基本構成を示す図である。
【００１０】
本図において、本発明に基づくラジオ受信機１は、少なくとも設定手段２と、サーチ手段３と、受信手段４とを有する。ここに、
設定手段２は、希望の複数のジャンルを設定する。
【００１１】
サーチ手段３は、受信可能な放送局をサーチする。
【００１２】
受信手段４は、サーチした放送局のうち上記のジャンルに一致する１つの放送局を選択して当該放送を受信する。
【００１３】
さらに好ましくは、設定手段２は、希望の複数のジャンルに対して予め優先順位を付けて設定を行う。そして、受信手段４は、１つのジャンルについて該当する放送局を選択できないとき、その優先順位を下げた他のジャンルについて引き続き選択を継続するようにする。
【００１４】
例えば、希望の複数のジャンルが、ロックとポップスとジャズであるものとすると、（１）ロック→（２）ポップス→（３）ジャズ、のように優先順位を予め付けておく。
【００１５】
上記のような本発明の構成によれば、ユーザは従来のような手動による煩わしい選局操作から解放される。また希望のジャンルの放送をいち早く捕捉することができ、サーチ時間の短縮が図れるから、ユーザに不快感を与えることもない。
【００１６】
さらに、他の実施の形態によれば、放送されている番組を再生する受信機において、希望の複数のジャンルを設定する設定手段と、前記設定手段により設定された複数のジャンルのうち、１つのジャンルに一致する番組が見つからない場合には、他のジャンルに一致する番組を順次検索して、前記複数のジャンルのうち、少なくとも１つのジャンルに一致する番組を再生可能な再生手段とを備えることを特徴としている。
【００１７】
ここで言う「番組の再生」とは、放送されている番組の映像・音声を受信してユーザに提供することである。
【００１８】
このような構成によれば、ユーザは従来のような手動による煩わしい番組の選択操作から解放される。また、ディジタル放送のように複数番組を持つ放送局を選局しても、その複数ある番組の中から希望のジャンルの番組を選択して、ユーザに提供することができる。また、希望のジャンルを複数設定しているので、少なくとも１つのジャンルに一致する番組をいち早く捕捉することができ、サーチ時間の短縮が図れるから、ユーザに不快感を与えることもない。
【００１９】
【発明の実施の形態】
図２は本発明に係る第１の動作態様を表すフローチャートである。
【００２０】
動作は次のとおりである。
【００２１】
ステップＳ１１：設定手段２（図１）により、ユーザが希望のジャンルを複数設定する。例としてジャンルＡ，ＢおよびＣを設定する。具体的には、ロック、ポップスおよびジャズ等である。
【００２２】
ステップＳ１２：一方サーチ手段３（図１）は、周波数の最小（ＭＩＮ）ステップ、例えばＦＭ放送（７６MHz 〜９０MHz ）ならば１００KHz を設定しておく。
【００２３】
ステップＳ１３：その最小ステップでサーチが開始される。
【００２４】
ステップＳ１４：そのサーチにより受信可能な放送局（受信局）が見つかると（Ｙｅｓ）、
ステップＳ１５：受信手段４（図１）は、その受信局がジャンルＡを提供する放送局（提供局）か判断する。
【００２５】
ステップＳ１６：ジャンルＡの提供局でないときは、ジャンルＢの提供局か判断する。
【００２６】
ステップＳ１７：ジャンルＢの提供局でないときは、ジャンルＣの提供か判断する。
【００２７】
ステップＳ１８：受信手段４が、上記ステップＳ１５かＳ１６かＳ１７のいずれかの判断で最初にＹｅｓ（提供局あり）と判断したとき、該受信手段４はその放送局からの放送を受信する。例えば、ステップＳ１５〜Ｓ１７のうち、Ｓ１７で初めてＹｅｓとなったときは、ユーザに、放送出力（図１）として、ジャズを提供する。
【００２８】
ステップＳ１９：ステップＳ１４〜Ｓ１７の判断結果がいずれもＮｏならば、サーチ手段３は、周波数を１ステップ分ＵＰし、ステップＳ１３に戻る。同様の繰り返しで、周波数ＭＡＸ（上記の例では９０MHz ）に達すると、再びステップＳ１２の周波数ＭＩＮステップを設定し、同じ手順を繰り返す。
【００２９】
例えば車載用のラジオ受信機であれば、その手順を繰り返しているうちに、その車がいずれかの受信局をカバーするエリアに入れば、ステップＳ１８（受信成功）に落ち着き、好みのジャンルの音楽を聞くことができるようになる。
【００３０】
なお、図２では、ステップＳ１５，Ｓ１６およびＳ１７を順次１ステップずつ進めるように表しているが、実際には、ステップＳ１４（受信局が見つかった？）にて複数の受信局データを全て取っておいて、そのデータ上で並列的にステップＳ１５，Ｓ１６およびＳ１７の処理を実行することになる。
【００３１】
図３は本発明に係る第２の動作態様を表すフローチャートである。
【００３２】
本動作態様は、前述の第１の動作態様と基本的に同じであるが、図１で説明した優先順位を加味した点が異なる。なお、この例では優先順位として、（１）ジャンルＡ（ロック）→（２）ジャンルＢ（ポップス）→（３）ジャンルＣ（ジャズ）を設定する。
【００３３】
ステップＳ２１＝ステップＳ１１（図２）
ステップＳ２２：サーチ手段３は、設定手段２を介してユーザから指定されたジャンルの優先順位に従い、まずジャンルＡの放送局のサーチを開始する。
【００３４】
ステップＳ２３：受信手段４は、所定の周波数範囲に亘り一巡してもその希望ジャンルＡが配信されていないか判断する。
【００３５】
ステップＳ２４：配信されていなければ、サーチ手段３は次の優先順位のジャンルＢの放送局をサーチし始める。
【００３６】
ステップＳ２５：そのジャンルＢについてステップＳ２３と同様の判断を行う。
【００３７】
ステップＳ２６：配信されていなければ、次の優先順位のジャンルＣの放送局サーチし始める。
【００３８】
ステップＳ２７：そのジャンルＣについてステップＳ２３と同様の判断を行う。
【００３９】
ステップＳ２８＝ステップＳ１８（図２）
かくしてラジオ受信機１は、ユーザが最も希望するジャンルＡの音楽（ロック）を優先的に捕捉して、該ユーザに提供することができる。
【００４０】
図４は本発明に係る第３および第４の動作態様を表すフローチャートである。
【００４１】
本図において、ステップＳ３１，Ｓ３２…は第３の動作態様に関係し、ステップＳ４１，Ｓ４２…は第４の動作態様に関係する。
【００４２】
第３の動作態様の要点は、次の点にある。すなわち、
サーチ手段３は、受信手段４が希望のジャンルに一致する放送局を選択できないとき、
（ｉ）そのサーチを中止するか、
（ii）そのサーチを繰り返すか、
のいずれか一方を実行することである。
【００４３】
また第４の動作態様の要点は、次の点にある。すなわち、
サーチ手段３は、そのサーチの中止を実行する場合、
（ｉ）当該サーチの直前に選択していた放送局を再び選択するか、
（ii）希望のジャンルの放送局であると否とを問わず、直前の放送局以外の放送局であってかつ最初に受信できた放送局を選択するか、
のいずれか一方を実行することである。
【００４４】
ステップＳ３１＝ステップＳ１１（図２）
ステップＳ３２＝ステップＳ１２（図２）
ステップＳ３３＝ステップＳ１３（図２）
ステップＳ３４＝ステップＳ２３（図３）
ステップＳ３５＝ステップＳ２８（図３）
ステップＳ３６：本ステップが第３の実施態様の特徴部分であり、受信手段４は、（ｉ）サーチを中止するか、（ii）サーチを繰り返すかのいずれかを実行する。
【００４５】
上記（ｉ）または（ii）のいずれにするかは、予め受信手段４の中に固定的に設定しておいても良いし、あるいは、ユーザが設定手段２を介してその都度好みに応じて設定する（所定のボタンを押す）ようにしても良い。同じようなサーチを繰り返すのはうっとうしいと感じるユーザは、そのボタンを押せば良い。
【００４６】
次に第４の動作態様について説明する。
【００４７】
上記ステップＳ３６にて、サーチを中止する（Ｎｏ）こととしたとき、
ステップＳ４１：受信手段４は、サーチ直前の周波数を受信するか否かを判断する。この判断も上記ステップＳ３６の場合と同様、どちらにするか固定的に決めておいても良いし、ユーザが好みに応じて所定のボタンを押して随時決定するようにしても良い。
【００４８】
このステップＳ４１の判断結果（Ｙｅｓ／Ｎｏ）に応じて、ステップＳ４２またはＳ４３に進む。
【００４９】
ステップＳ４２：希望のジャンルが見つからなかったユーザは、直前まで聞いていては放送を再び受信する。同じ放送でも良いと思うユーザはこのステップＳ４２を選ぶことになる。
【００５０】
ステップＳ４３：一方、直前の放送はもう聞きたくないと思うユーザは、本ステップＳ４３を選ぶ。
【００５１】
ここにサーチ手段３は再びサーチを始め、とにかく最初に受信できる放送局を選択してこれに切り替える。この場合、その選択した放送局がたまたま希望ジャンルの放送局であった、ということも稀にはあり得るが（例えば、車載用のラジオ受信機であって、高速道路を走行中の当該車両がいくつかの市街地を高速で走り抜けるような場合）、ユーザは、希望のジャンルではないが何らかの放送を聞くことのできる状態に置かれる。そしてここに至るまで、ユーザには何らの手動選局操作も要求されない。
【００５２】
図５は本発明に基づく第５の動作態様に係るラジオ受信機の構成を示す図、
図６は本発明に係る第５の動作態様を表すフローチャート（その１）、
図７は同フローチャート（その２）である。
【００５３】
これらの図で示す第５の動作態様の要点は次のとおりである。すなわち、
記録／表示手段５（図５）をさらに備え、この記録／表示手段５は、サーチ手段３がサーチした、希望の複数のジャンルを放送する所定数分の放送局または一巡のサーチで捕捉した放送局、を記録すると共に、これら放送局のうち所望の１つをユーザが選択可能に、一覧表示することである。なお、当該記録機能は、例えば受信手段４（あるいはサーチ手段３）の中に形成されても良いが、図５では理解しやすいように、当該表示機能と一体にし、記録／表示手段５として表す。
【００５４】
本動作態様は、既述の動作態様のように希望ジャンルの放送局が見つかれば即座にそこで受信する、というのではなく、現時点および現地点で受信可能な希望ジャンルの放送局をとりあえず全部捜し出して記録し、さらにその記録の内容つまり受信可能な全ての希望ジャンルの放送局をユーザにまず一覧表示し、そしてユーザにその中の１つを選択させることを特徴とするものである。
【００５５】
ユーザが希望するロックの中から、例えば曲目やアーティストの観点で最も好みのロックを選局できる、という利点がある。
【００５６】
図６および図７に従ってさらに具体的に説明する。
【００５７】
ステップＳ５１＝ステップＳ１１（図２）
ステップＳ５２：複数の該当局を記録するに当たり、ｎ（ｎ＝１，２，３…）局まで記録すべきことを記録／表示手段５に対して予め設定する。本図の例ではｎ＝６とする。都市部では当該局が多数存在することがあるので、ある程度の制限を設けておくのがサーチ時間短縮等の観点から有利である。
【００５８】
ステップＳ５３＝ステップＳ１２（図２）
ステップＳ５４＝ステップＳ１３（図２）
ステップＳ５５＝ステップＳ１４（図２）
ステップＳ５６：本動作態様の特徴を表しており、希望ジャンルの提供局であればこれらを全て洗い出す。
【００５９】
ステップＳ５７：さらに上記で洗い出した提供局の周波数を記録（別メモリ）／表示手段５に覚えておく。
【００６０】
ステップＳ５８：上記ステップＳ５２で述べた制限の範囲（ｎ＝６まで）内か判断する。
【００６１】
ステップＳ５９：上記制限の範囲内ならば周波数を１ステップだけインクリメントする（ステップＳ１９（図２）と同じ）。
【００６２】
ステップＳ６０：上記の周波数のステップＵＰを上限の例えば９０MHz まで続けながら、上記の一連のステップＳ５４〜Ｓ５８を繰り返す。
【００６３】
ステップＳ６１：一巡したら当該サーチを終了する。
【００６４】
ステップＳ６２（図７）：これ以降のステップも本動作態様を特徴づけるものであり、このＳ６２では、まずメモリに局が記録されているか調べる。
【００６５】
ステップ６３：記録されていれば（Ｙｅｓ）、記録／表示手段５によりユーザに、受信可能な全ての提供局をそのジャンルの細目と共にユーザに表示する。該表示手段は、ナビゲーションあるいはテレビのモニタを兼用することができ、この場合は、該モニタに全局について表示できるので、ユーザはタッチパネル方式で選択する。
【００６６】
一方そのようなモニタの備えがなく、ＬＣＤのような１行表示しかできないときは、全局を１局ずつスクロール表示し、ユーザが所定のボタンを押して１つの局を決定することもできる。
【００６７】
ステップＳ６４：ユーザの決定に従い、１つの放送局の受信を開始する。
【００６８】
ステップＳ６５：ステップＳ６２にて、メモリに記録なしということであれば、サーチ直前の放送に戻る（ステップＳ４２（図４）と同じ）。
【００６９】
図８は本発明に係る第６の動作態様を表すフローチャート（その１）、
図９は同フローチャート（その２）である。
【００７０】
この第６の動作態様は上述の第５の動作態様の一変形例であって、記録／表示手段５は、上述の記録された放送局が複数あるとき、ユーザが随時選択可能に、一局ずつ順次所定時間提示することを要点とするものである。
【００７１】
前述の第５の動作態様によれば、現時点および現地点で受信可能な放送局（候補局）の全てを上記モニタに一覧表示するか、上記ＬＣＤにスクロール表示し、ユーザに選択してもらうようにした。しかしユーザが車のハンドルを操作中の場合は、目で見てその選択を行うことは安全上好ましくない。
【００７２】
そこで本第６の動作態様では、複数の候補局からの放送を順次１局ずつユーザの耳で確認させ、選択するようにする。このとき１局当たり例えば１０秒ずつユーザに聞かせる。ただし、１０秒にするかあるいはもっと短く５秒にするかは、予めユーザが自由に定められるようにしておく。
【００７３】
図８および図９を具体的に説明する。
【００７４】
ステップＳ７１＝ステップＳ１１（図２）
ステップＳ７２：受信手段４内で、ユーザが指定した上記１０秒等の受信時間（ユーザへの提供時間）を、設定する。
【００７５】
ステップＳ７３＝ステップＳ１２（図１２）
ステップＳ７４：サーチを開始する。
【００７６】
ステップＳ７５：上記第５の動作態様に基づいて候補局の収集を行う。
【００７７】
ステップＳ７６：収集が完了すればサーチを終了する。
【００７８】
ステップＳ７７（図９）＝ステップＳ６２（図７）
ステップＳ７８：メモリ内に記録された候補局が１局かまたは複数局か判断する。
【００７９】
ステップＳ７９：１局だけならば、その１局を受信する。
【００８０】
ステップＳ８０：ステップＳ６５（図７）
ステップＳ８１：これ以降のステップが第６の動作態様を特徴づける。このＳ８１では、メモリ内の一番目の候補局から提供される放送を受信してユーザに聞かせる。
【００８１】
ステップＳ８２：ユーザが例えば決定ボタンを押して上記の候補局を選択したか否か判断する。
【００８２】
ステップＳ８３：ユーザが上記候補局の放送を試し聞きしたが、上記決定ボタンが押されることなく上記の１０秒を経過してしまったとき（Ｙｅｓ）、次ステップに進む。
【００８３】
ステップＳ８４：ユーザが順次候補局からの放送を試し聞きして、上記決定ボタンが押されたならば、その放送局からの放送を受信開始する。
【００８４】
ステップＳ８５：ユーザに選択されれば、候補局の順次選択を中止すると共に、ユーザは当該放送を継続して聞くことができる。
【００８５】
図１０は本発明に基づく第７の動作態様に係るラジオ受信機の構成を示す図、
図１１は本発明に係る第７の動作態様を表すフローチャートである。
【００８６】
これらの図で示す第７の動作態様の要点は次のとおりである。すなわち、
操作手段６（図１０）をさらに備え、前記の記録／表示手段５が複数の放送局を記録しているとき、現在受信中の放送局に設定するか、その記録順で、前の候補局に設定するか、次の候補局に設定するか、のいずれかをその操作手段６によりユーザが決定することである。
【００８７】
本動作態様は、前述の第６の動作態様のように１局ずつ定められた時間内で試し聞きして候補局を選択していく、というのではなく、操作手段６に備えられる例えばＵｐボタン／Ｄｏｗｎボタンの押下により即座に１つの放送局を決定してしまうものである。このようにすれば、１局ずつ聞いていくという煩わしさがなくなり、瞬時にいずれかの局からの放送を受信可能となる。
【００８８】
図１１に従って具体的に説明する。
【００８９】
ステップＳ９１＝ステップＳ７１（図８）
ステップＳ９２＝ステップＳ７３（図８）
ステップＳ９３＝ステップＳ７４（図８）
ステップＳ９４＝ステップＳ７５（図８）
ステップＳ９５＝ステップＳ７６（図８）
ステップＳ９６＝ステップＳ８１（図９）
ステップＳ９７：これ以降のステップが本第７の動作態様を特徴づける。このＳ９７においては、操作手段６が備える各種ボタンのうちいずれがユーザによって押されたか判断する。
【００９０】
ステップＳ９８：例えば前述のＵｐボタンが押されたならば、次の候補局の周波数がそのジャンルの内容と共にユーザに対して表示される。
【００９１】
ステップＳ９９：例えば前述のＤｏｗｎボタンが押されたならば、前の候補局の周波数がそのジャンルの内容と共にユーザに対して表示される。
【００９２】
ステップＳ１００：このように、ＵｐボタンかＤｏｗｎボタンを押して、いずれかの周波数で決まったとき、ユーザは例えば決定ボタンを押す。ここに今設定されている周波数の放送を受信することになる。
【００９３】
図１２は本発明に基づく第８の動作態様に係るラジオ受信機の構成を示す図、
図１３は本発明に係る第８の動作態様を表すフローチャートである。
【００９４】
これらの図で示す第８の動作態様の要点は次のとおりである。すなわち、
サーチ起動手段７（図１２）をさらに備え、このサーチ起動手段７は、受信中の放送局からの受信ができなくなるか、または、受信可能ではあるが希望ジャンルの放送でなくなったときに、サーチ手段３を起動することである。
【００９５】
前述した種々の動作態様では、サーチ手段３をいかなるタイミングあるいは要因で起動すべきかについては特に言及していない。
【００９６】
そこでそのサーチ手段の起動についてユーザの手を煩わせない合理的な手法を提案するのが第８の動作態様である。
【００９７】
図１３を参照すると、
ステップＳ１１１：まず受信手段４は、自動的にサーチを開始するような設定がユーザによってなされているか判断する。ただし、もともと自動的にサーチを開始するようにプログラムされている場合は、このＳ１１１は不要である。
【００９８】
ステップＳ１１２：自動的にサーチを開始するように設定されているときは、受信中の放送局からの受信が不可となったか否か判断する。
【００９９】
ステップＳ１１３：その判断結果が受信不可ではないときは（Ｎｏ）、さらに受信中の放送のジャンルが希望ジャンルではなくなったか否か判断する。
【０１００】
その判断結果がＮｏならば、上記のステップ（Ｓ１１２，Ｓ１１３）を繰り返す。
【０１０１】
ステップＳ１１４：上記ステップＳ１１１かＳ１１２において、いずれか一方がＹｅｓになったときに初めて本来のサーチを開始する。
【０１０２】
図１４は本発明に基づく第９の動作態様に係るラジオ受信機の構成を示す図、
図１５は本発明に係る第９の動作態様を表すフローチャートである。
【０１０３】
これらの図で示す第９の動作態様の要点は、サーチ手段３を任意に起動しまたは停止させるサーチ開始ボタンを備えることである。
【０１０４】
前述した動作態様においては、希望のジャンルの放送局が捕捉されると、それ以後はその放送局からの受信ができなくなるまで捕捉した希望のジャンルで固定されてしまう。
【０１０５】
しかし場合によっては、途中で別の放送局に移りたいというケースも起こり得る。このようなときには、サーチ開始ボタン８を押せばよい。また、希望のジャンルとして設定されていないが、続けて聞きたい放送（例えば野球のナイター中継放送等）があるときは、このボタン８をオフしたままにしておけばよい。
【０１０６】
さらに、本発明の基本に戻って、そもそも本発明によるサーチ動作を止めておきたいときには（例えば希望のジャンルとは全く関係ないローカルな放送を続けて楽しみたい場合等）、サーチ開始ボタン８をオフしておいて、手動で選局すればよい。
【０１０７】
図１５を参照すると、
ステップＳ１２１：サーチ開始ボタン８が押されたか否か判断する。
【０１０８】
ステップＳ１２２：サーチボタン８が押されると初めて本来のサーチを開始する。あるいは今の放送局に代えて、別の放送局のサーチを開始する。
【０１０９】
ここで本発明が適用されるラジオ受信機について簡単に触れておく。
【０１１０】
図１６は本発明が適用される一般的なラジオ受信機の構成を示す図である。一例としてＦＭラジオ受信機の場合である。
【０１１１】
本図において、アンテナ１１から受信したＦＭ放送は、ＦＭチューナ１２にて選局され、電子ボリューム（ＶＯＬ）１４を通してスピーカ１５よりユーザに提供される。
【０１１２】
マイコン１３はラジオ受信機１全体の制御を司るものであって、キー入力部１７からの各種指示情報を入力としてこれに従い、電子ボリューム１４の音量を調整したり、表示器（モニタ）１６に所定の表示を行う。
【０１１３】
これまでに述べた設定手段２、操作手段６、サーチ起動手段７、サーチ開始ボタン８等は全て上記キー入力部１７により実現できる。
【０１１４】
また上記記録／表示手段５の表示機能は表示器１６（モニタまたはＬＣＤ）で実現できる。
【０１１５】
さらに上記サーチ手段３と上記受信手段４は、マイコン１３およびＦＭチューナ１２によって実現できる。
【０１１６】
ここでさらに本発明に係る第１０の動作態様について説明する。
【０１１７】
図１７は本発明に基づく第１０の動作態様に係るラジオ受信機の構成を示す図、
図１８は本発明に係る第１０の動作態様を表すフローチャートである。
【０１１８】
これらの図にて示す第１０の動作態様の要点は次のとおりである。すなわち
２系統の選局回路１２，１２′と、並行設定手段２１（図１７）とを備え、この並行設定手段２１は、受信手段４が第１の選局回路１２を介して１つの放送局を受信する第１のモードと、その受信中にサーチ手段３が第２の選択回路１２′を介して他の放送局をサーチする第２のモードとを並行して設定することにある。
【０１１９】
既述の動作態様では、サーチ動作が起動されてサーチ動作を開始し、それから希望のジャンルの放送局を捕捉するという手順である。したがって当然に目的の放送を聞けるまでの時間が長くなり、ユーザに不快感を与え兼ねない。
【０１２０】
そこで本第１０の動作態様では、上記の第１のモード（表）に対し裏のモードすなわち上記の第２のモードを形成するようにする。つまりユーザがある放送を聞いている間に、今の時点および地点で受信可能な放送局の候補をリストアップしておくようにする。
【０１２１】
このようにすれば、ユーザが現在受信している表の放送に飽きたときに、即座に裏の放送に切り替えることができ、ユーザに不快な待ち時間を感じさせることがない、という利点が持たらされる。
【０１２２】
図１８を参照すると、
ステップＳ１３１：表の放送を受信中に同時に裏の候補局のサーチをして、そのサーチされた候補局を記録する。このステップＳ１３１は、例えば既述した図６のステップＳ５５→Ｓ５６→Ｓ５７と同じである。
【０１２３】
ステップＳ１３２：ユーザが裏でサーチした候補局の呼出しを行ったとすると、次ステップに進む。
【０１２４】
ステップＳ１３３：その裏サーチの候補局がありこれが記録されていると、次ステップに進む。
【０１２５】
ステップＳ１３４：その記録された裏の候補である放送局に放送を切り替える。複数あれば、その記録順に順次切り替える。
【０１２６】
以上の第１０の動作態様について付加すべき好ましい諸機能を挙げれば次のとおりである。
【０１２７】
（ｉ）並行設定手段２１（図１７）は、受信中の放送局からの受信ができなくなるか、または、受信可能ではあるが希望ジャンルの放送でなくなったときに、上記の第１または第２のモードの択一的な自動切替えを行うようにする。これによりユーザに対し切れ目なく好みの放送を提することができる。
【０１２８】
しかし休みなく放送を流し続けることが必ずしも適当でないような場合があり得ることも想定して、
（ii）上記モードの自動切替えを行うか否かを任意に設定可能なモード切替実行／停止ボタン２２（図１７）を備えることもできる。
【０１２９】
このモード切替実行／停止ボタン２２をオンにしておいて、なおかつユーザは裏の放送が気にかかることもある。あるいは、このボタン２２をオフにしておきながら、突然裏の放送が聞きたい場合もある。このような状況を想定して、
（iii） 第２の選局回路１２′を介して捕捉した放送局へ強制的に切替えるモード切替ボタン２３を備えることもできる。
【０１３０】
いずれの場合にしても、基本的に図１８に示した処理の流れを実現するためには、第２の選局回路１２′を介して捕捉した放送局を記録する記録手段２４と、この記録手段に記録された放送局を順次呼び出してユーザに提供する呼出手段２５と、を備えることが望ましい。
【０１３１】
上述した表と裏の関係を発展させると、次のようなマルチメディアシステムを構成するラジオ受信機とすることもできる。すなわち、
複数のメディア機器の中の１つとしてのラジオ受信機であって、このラジオ受信機以外のメディア機器のいずれかが動作中に、少なくともサーチ手段３および受信手段４を動作させて希望のジャンルの放送局を選択したとき、その動作中のメディア機器を停止させてラジオ受信機側に動作を切り換えるというものである。このためにはメディア切替手段を備えることが望ましい。この構成を図で示す。
【０１３２】
図１９は本発明を発展させたマルチメディアシステムを表す図である。
【０１３３】
このマルチメディアシステム３０は、ラジオ受信機１の他に、カセット、ＭＤ／ＣＤ等のオーディオ再生装置３１、テレビ装置３２、ナビゲーション装置３３を含んで構成されている。３４はディスプレイである。
【０１３４】
ユーザが、もしあればロックの放送に切り替えたいと思いながら、表でオーディオ再生装置３１かテレビ装置３２かナビゲーション装置３３のいずれかを使用しているものとすると、裏のラジオ受信機１では前述した放送局のサーチを続けている。
【０１３５】
このサーチで目的とするロックの放送局が捕捉されると、マイコン１３はメディア切替手段３５に作用して、使用中の上記装置（３１か３２か３３）を停止させ、ラジオ受信機１をアクティブにする。ここにユーザは即座にロックの放送に切り替えられる。
【０１３６】
この切り替えの場合、突然切り替えるとユーザはびっくりしてしまうので、ナビゲーション装置３３に内蔵の音声合成機能部を利用して、「これから予約の放送にします」等のアナウンスをスピーカ１５から事前にユーザに対して流すようにするのが良い。
【０１３７】
以上の説明はラジオ受信機を主体に行ってきたが、本発明の思想はテレビ装置、ディジタル放送等、無線放送機器一般に応用できるものである。したがってモバイルを利用したオーディオ機器への応用も可能である。
【０１３８】
また、ハードディスク等の記録媒体に受信した希望のジャンルの番組を記録して、ユーザに提供、即ち番組を再生することも可能である。また、希望のジャンルの番組に限らず、ディジタル放送のような複数の番組を多重化している場合は、希望のジャンルの番組を含む全ての番組を記録して、希望のジャンルの番組を抽出してユーザに提供、即ち番組を再生することも可能である。こうすることで、ユーザに希望のジャンルの番組を必ず提供することが可能であり、よりいち早く提供することができる。
【０１３９】
【発明の効果】
以上詳しく説明したように、本発明によれば、ユーザが希望する複数のジャンルの放送をラジオ受信機が自らサーチして自動的に該ユーザに提供することができる。
【０１４０】
このため手動による煩わしい選局操作を不要とし、また、ユーザに対し常にどこかの放送局を受信可能としておくことができるので快適な放送環境を提供することができる。
【０１４１】
また、本発明の他の実施の形態によれば、ユーザが希望する複数のジャンルの番組を受信機が自らサーチして自動的に該ユーザに提供することができる。このため手動による煩わしい番組の選択操作を不要とし、また、ユーザに対し常に希望のジャンルのいずれか１つを提供することができるので快適な再生環境を提供することができる。
【図面の簡単な説明】
【図１】本発明に基づくラジオ受信機の基本構成を示す図である。
【図２】本発明に係る第１の動作態様を表すフローチャートである。
【図３】本発明に係る第２の動作態様を表すフローチャートである。
【図４】本発明に係る第３および第４の動作態様を表すフローチャートである。
【図５】本発明に基づく第５の動作態様に係るラジオ受信機の構成を示す図である。
【図６】本発明に係る第５の動作態様を表すフローチャート（その１）である。
【図７】本発明に係る第５の動作態様を表すフローチャート（その２）である。
【図８】本発明に係る第６の動作態様を表すフローチャート（その１）である。
【図９】本発明に係る第６の動作態様を表すフローチャート（その２）である。
【図１０】本発明に基づく第７の動作態様に係るラジオ受信機の構成を示す図である。
【図１１】本発明に係る第７の動作態様を表すフローチャートである。
【図１２】本発明に基づく第８の動作態様に係るラジオ受信機の構成を示す図である。
【図１３】本発明に係る第８の動作態様を表すフローチャートである。
【図１４】本発明に基づく第９の動作態様に係るラジオ受信機の構成を示す図である。
【図１５】本発明に係る第９の動作態様を表すフローチャートである。
【図１６】本発明が適用される一般的なラジオ受信機の構成を示す図である。
【図１７】本発明に基づく第１０の動作態様に係るラジオ受信機の構成を示す図である。
【図１８】本発明に係る第１０の動作態様を表すフローチャートである。
【図１９】本発明を発展させたマルチメディアシステムを表す図である。
【符号の説明】
１…ラジオ受信機
２…設定手段
３…サーチ手段
４…受信手段
５…記録／表示手段
６…操作手段
７…サーチ起動手段
８…サーチ開始ボタン
１２，１２′…ＦＭチューナ（選局回路）
１３…マイコン
１６…表示器
１７…キー入力部
２１…並行設定手段
３０…マルチメディアシステム
３１…オーディオ再生装置
３２…テレビ装置
３３…ナビゲーション装置
３４…ディスプレイ
３５…メディア切替手段
【図１】
0003824534.tif 000002
【図２】
0003824534.tif 000003
【図３】
0003824534.tif 000004
【図４】
0003824534.tif 000005
【図５】
0003824534.tif 000006
【図６】
0003824534.tif 000007
【図７】
0003824534.tif 000008
【図８】
0003824534.tif 000009
【図９】
0003824534.tif 000010
【図１０】
0003824534.tif 000011
【図１１】
0003824534.tif 000012
【図１２】
0003824534.tif 000013
【図１３】
0003824534.tif 000014
【図１４】
0003824534.tif 000015
【図１５】
0003824534.tif 000016
【図１６】
0003824534.tif 000017
【図１７】
0003824534.tif 000018
【図１８】
0003824534.tif 000019
【図１９】
0003824534.tif 000020